(57)【要約】【課題】電力使用状態を容易に確認することができるとともに、給電接続手段の大型化を抑制した給電システムを提供する。【解決手段】給電システム１は、電気機器６が接続されるとともにこの電気機器６に電力を供給する子器となるコンセント４と、このコンセント４の電力使用状態を表示する表示器３ｂを有する親器となる表示装置３とを備えている。コンセント４には、コンセント４に供給される電流を検知する電流センサが設けられ、表示装置３には、電流センサにて検知された電流値に基づいてコンセント４の電力使用状態を演算する制御部が設けられている。【選択図】図１
2011072099.tif 000002
【特許請求の範囲】
【請求項１】
負荷機器が接続されるとともにこの負荷機器に電力を供給する子器となる複数個の給電接続手段と、これら給電接続手段と信号線を通じて接続されるとともに前記給電接続手段から送信される信号を受信することにより前記給電接続手段の電力使用状態を表示する表示器を有する親器となる表示装置とを備える給電システムにおいて、
前記給電接続手段の各々には、固有のアドレスが割り振られ、
前記給電接続手段には、自己のアドレスを前記表示装置に登録するアドレス設定部と、前記給電接続手段に供給される電流を検知する電流検知部と、この電流検知部にて検知された電流値と前記自己のアドレスとを信号線を通じて前記表示装置へと送信する送信部とが設けられ、
前記表示装置には、前記給電接続手段からの信号を受信する受信部と、前記電流検知部にて検知された電流値に基づいて前記給電接続手段の電力使用状態を演算する演算部が設けられる
ことを特徴とする給電システム。
【請求項２】
負荷機器が接続されるとともにこの負荷機器に電力を供給する子器となる複数個の給電接続手段と、これら給電接続手段と信号線を通じて接続されるとともに前記給電接続手段から送信される信号を受信することにより前記給電接続手段の電力使用状態を表示する表示器を有する親器となる表示装置とを備える給電システムにおいて、
前記給電接続手段の各々には、固有のアドレスが割り振られ、
前記給電接続手段には、自己のアドレスを前記表示装置に登録するアドレス設定部と、前記給電接続手段に供給される電流を検知する電流検知部と、この電流検知部にて検知された電流値と前記自己のアドレスとを信号線を通じて前記表示装置へと送信する送信部と、前記電流検知部にて検知された電流値に基づいて前記給電接続手段の電力使用状態を演算する演算部とが設けられ、
前記表示装置には、前記給電接続手段からの信号を受信する受信部が設けられる
ことを特徴とする給電システム。
【請求項３】
請求項１または請求項２に記載の給電システムにおいて、
前記表示装置及び前記表示装置を介して前記複数個の給電接続手段との間において電力線にて接続されるとともに前記表示装置及び前記給電接続手段との動作電力を供給する電源部を備え、
前記電力線は、前記信号線を兼ねており、
前記給電接続手段の前記送信部は、電力と信号とを重畳して前記表示装置へ送信する
ことを特徴とする給電システム。
【請求項４】
請求項１〜請求項３のいずれか一項に記載の給電システムにおいて、
前記表示器は、前記電流検知部にて検知された電流値に基づいて所定時間における電力積算量を表示する
ことを特徴とする給電システム。
【請求項５】
請求項４に記載の給電システムにおいて、
当該給電システムは、前記電力積算量が予め設定された判定値を超えたときに前記給電接続手段の電力供給を遮断する
ことを特徴とする給電システム。
【請求項６】
請求項１〜請求項５のいずれか一項に記載の給電システムにおいて、
当該給電システムは、前記給電接続手段の検知する電流値が判定値を超えて使用したときに前記給電接続手段の電力供給を遮断する
ことを特徴とする給電システム。
【請求項７】
請求項１〜請求項６のいずれか一項に記載の給電システムにおいて、
当該給電システムは、前記給電接続手段が前記負荷機器に直流電力を供給する時間が予め設定された判定値を超えたときに前記給電接続手段の電力供給を遮断する
ことを特徴とする給電システム。
【請求項８】
請求項１〜請求項７のいずれか一項に記載の給電システムにおいて、
前記給電接続手段は、造営物を構成する壁部に埋め込まれる壁埋め込み式コンセントである
ことを特徴とする給電システム。
【請求項９】
請求項１〜請求項７のいずれか一項に記載の給電システムにおいて、
前記給電接続手段は、造営物を構成する壁部に埋め込まれる壁埋め込み式スイッチである
ことを特徴とする給電システム。
【請求項１０】
請求項１〜請求項７のいずれか一項に記載の給電システムにおいて、
前記給電接続手段は、造営物を構成する壁部に埋め込まれる壁埋め込み式コンセントに接続されるテーブルタップである
ことを特徴とする給電システム。
【発明の詳細な説明】
【技術分野】
【０００１】
本発明は、負荷機器が接続されるとともにこの負荷機器に電力を供給する子器となる給電接続手段と、この給電接続手段の電力使用状態を表示する表示器を有する親器となる表示装置とを備える給電システムに関する。
【背景技術】
【０００２】
従来から家屋等の部屋の壁部に設けられた各埋め込み式コンセントの消費電力を確認する需要がある。この消費電力を確認手段するとして、上記コンセントに消費電力を表示する表示器が設けられるものが知られている（例えば、特許文献１参照）。なお、表示器は消費電力に限らず、電流値等の電力使用状態が表示されることが考えられる。
【０００３】
図１５を参照して、従来のコンセントの構成について説明する。
図１５に示すように、コンセント２００には、負荷機器のプラグ（不図示）が差し込まれることにより、プラグを介して負荷機器に電力を供給するコンセント部２１０が設けられている。このコンセント部２１０の上方には、このコンセント部２１０からプラグに供給される消費電力が数値として表示される表示器２２０が設けられている。
【先行技術文献】
【特許文献】
【０００４】
【特許文献１】特開２００２−３６５３１２号公報
【発明の概要】
【発明が解決しようとする課題】
【０００５】
しかしながら、従来のコンセント２００では、コンセント２００が大型化してしまう問題があった。具体的には、上記コンセント２００は規格化された寸法に納まるように設計されている。しかし表示器２２０をこの規格化された寸法内に納めるように設けた場合、表示器２２０が小さくなり、表示器２２０に表示された消費電力が視認し難くなってしまう問題がある。この問題を解消するために表示器を大きくすることが考えられる。しかしこのような構成の場合には、コンセント２００が大型化するため、規格化された大きさに納まらなくなってしまう問題があった。
【０００６】
その上、コンセント２００が互いに離間した複数の場所に設置される場合では、こられコンセント２００の消費電力をそれぞれ把握するために各場所においてコンセント２００に設けられた表示器２２０を確認する必要があった。したがって、確認作業が煩雑となる問題があった。なお、これらの問題はコンセントに限らず、例えば壁部に設けられた埋め込み式スイッチ等の給電接続手段も同様のことが言える。
【０００７】
本発明は、上記実情に鑑みてなされたものであり、その目的とするところは、給電接続手段の電力使用状態を容易に確認することができるとともに、給電接続手段の大型化を抑制した給電システムを提供することにある。
【課題を解決するための手段】
【０００８】
以下、上記目的を達成するための手段及びその作用効果について記載する。
（１）請求項１に記載の発明は、負荷機器が接続されるとともにこの負荷機器に電力を供給する子器となる複数個の給電接続手段と、これら給電接続手段と信号線を通じて接続されるとともに前記給電接続手段から送信される信号を受信することにより前記給電接続手段の電力使用状態を表示する表示器を有する親器となる表示装置とを備える給電システムにおいて、前記給電接続手段の各々には、固有のアドレスが割り振られ、前記給電接続手段には、自己のアドレスを前記表示装置に登録するアドレス設定部と、前記給電接続手段に供給される電流を検知する電流検知部と、この電流検知部にて検知された電流値と前記自己のアドレスとを信号線を通じて前記表示装置へと送信する送信部とが設けられ、前記表示装置には、前記給電接続手段からの信号を受信する受信部と、前記電流検知部にて検知された電流値に基づいて前記給電接続手段の電力使用状態を演算する演算部が設けられることを要旨とする。
【０００９】
この発明によれば、表示装置が給電接続手段とは別に設けられる構成であるため、図１５に示す従来のコンセント２００のような給電接続手段に表示器が設けられる構成と比較して、表示器による電力使用状態を容易に確認することができるとともに給電接続手段の大型化を抑制することができる。さらに、表示装置の表示器にて各給電接続手段の電力使用状態を確認することができるため、上記従来の構成と比較して、複数の給電接続手段の電力使用状態を容易に確認することができる。
【００１０】
（２）請求項２に記載の発明は、負荷機器が接続されるとともにこの負荷機器に電力を供給する子器となる複数個の給電接続手段と、これら給電接続手段と信号線を通じて接続されるとともに前記給電接続手段から送信される信号を受信することにより前記給電接続手段の電力使用状態を表示する表示器を有する親器となる表示装置とを備える給電システムにおいて、前記給電接続手段の各々には、固有のアドレスが割り振られ、前記給電接続手段には、自己のアドレスを前記表示装置に登録するアドレス設定部と、前記給電接続手段に供給される電流を検知する電流検知部と、この電流検知部にて検知された電流値と前記自己のアドレスとを信号線を通じて前記表示装置へと送信する送信部と、前記電流検知部にて検知された電流値に基づいて前記給電接続手段の電力使用状態を演算する演算部とが設けられ、前記表示装置には、前記給電接続手段からの信号を受信する受信部が設けられることを要旨とする。
【００１１】
この発明によれば、表示装置が給電接続手段とは別に設けられる構成であるため、給電接続手段に表示器が設けられる構成と比較して、表示器による電力使用状態を容易に確認することができるとともに給電接続手段の大型化を抑制することができる。さらに、表示装置の表示器にて各給電接続手段の電力使用状態を確認することができるため、上記従来の構成と比較して、複数の給電接続手段の電力使用状態を容易に確認することができる。
【００１２】
（３）請求項３に記載の発明は、請求項１または請求項２に記載の給電システムにおいて、前記表示装置及び前記表示装置を介して前記複数個の給電接続手段との間において電力線にて接続されるとともに前記表示装置及び前記給電接続手段との動作電力を供給する電源部を備え、前記電力線は、前記信号線を兼ねており、前記給電接続手段の前記送信部は、電力と信号とを重畳して前記表示装置へ送信することを要旨とする。
【００１３】
この発明によれば、電力線が信号線を兼ねることにより、信号線と電力線とを各別に配線する場合と比較して、表示装置と給電接続手段とを接続する配線の構成を簡単化することができるようになる。
【００１４】
（４）請求項４に記載の発明は、請求項１〜請求項３のいずれか一項に記載の給電システムにおいて、前記表示器は、前記電流検知部にて検知された電流値に基づいて所定時間における電力積算量を表示することを要旨とする。
【００１５】
表示器が電力積算量を表示するためには、表示器がある程度大きく形成されなければならない。その点において、表示装置が給電接続手段とは別に設けられるため、表示器に表示された電力積算量を容易に確認することができる。
【００１６】
（５）請求項５に記載の発明は、請求項４に記載の給電システムにおいて、当該給電システムは、前記電力積算量が予め設定された判定値を超えたときに前記給電接続手段の電力供給を遮断することを要旨とする。
【００１７】
この発明によれば、電力積算量が所定の判定値を超えたときに給電接続手段の電力供給を遮断することにより、給電接続手段から負荷機器への過剰な電力供給を抑制することができる。
【００１８】
（６）請求項６に記載の発明は、請求項１〜請求項５のいずれか一項に記載の給電システムにおいて、当該給電システムは、前記給電接続手段の検知する電流値が判定値を超えて使用したときに前記給電接続手段の電力供給を遮断することを要旨とする。
【００１９】
この発明によれば、給電接続手段の検知する電流値が所定の判定値を超えたときに給電接続手段の電力供給を遮断することにより、負荷機器への過剰な電流の供給が抑制されるようになる。したがって、負荷機器の過剰な電流供給に起因する負荷機器の故障を抑制することができる。
【００２０】
（７）請求項７に記載の発明は、請求項６に記載の給電システムにおいて、請求項１〜請求項６のいずれか一項に記載の給電システムにおいて、当該給電システムは、前記給電接続手段が前記負荷機器に直流電力を供給する時間が予め設定された判定値を超えたときに前記給電接続手段の電力供給を遮断することを要旨とする。
【００２１】
この発明によれば、負荷機器に直流電力を供給する時間が判定値を超えたときに給電接続手段の電力供給を遮断することにより、給電接続手段の無駄に電力供給することを抑制することができる。したがって、給電システムの省電力化を図ることができる。
【００２２】
（８）請求項８に記載の発明は、請求項１〜請求項７のいずれか一項に記載の給電システムにおいて、前記給電接続手段は、造営物を構成する壁部に埋め込まれる壁埋め込み式コンセントであることを要旨とする。
【００２３】
この発明によれば、表示装置の表示器により壁埋め込み式コンセントの電力使用状態の確認を容易に行うことができる。
即ち、壁埋め込み式コンセントは、壁部における足元付近に設置される場合が多い。この場合には、壁埋め込み式コンセントに表示器が設けられる構成では、この表示器を確認することが煩雑であり、使い勝手が悪い。また上記構成では、上述のようにコンセント自体の大型化を招いてしまう。その点において、本発明は表示装置を確認しやすい場所に設置可能であるため、表示装置の表示器の確認を容易に行うことができるようになる。またコンセントに表示器が設けられないため、コンセントの大型化を抑制することができる。
【００２４】
（９）請求項９に記載の発明は、請求項１〜請求項７のいずれか一項に記載の給電システムにおいて、前記給電接続手段は、造営物を構成する壁部に埋め込まれる壁埋め込み式スイッチであることを要旨とする。
【００２５】
この発明によれば、表示装置の表示器により壁埋め込み式スイッチの電力使用状態の確認を容易に行うことができる。
即ち、壁埋め込み式スイッチに表示器が設けられていると、上述のように壁埋め込み式スイッチ自体の大型化を招いてしまう。また、複数のスイッチを有する場合には、表示器と対応して認識することが困難となる。その点において、本発明は表示装置の表示器によって各アドレスに応じて壁埋め込み式スイッチの電力使用状態を確認することができるため、複数の壁埋め込み式スイッチを対応して認識することが容易である。また壁埋め込み式スイッチに表示器が設けられないため、壁埋め込み式スイッチの大型化を抑制することができる。
【００２６】
（１０）請求項１０に記載の発明は、請求項１〜請求項７のいずれか一項に記載の給電システムにおいて、前記給電接続手段は、造営物を構成する壁部に埋め込まれる壁埋め込み式コンセントに接続されるテーブルタップであることを要旨とする。
【００２７】
この発明によれば、表示装置の表示器によりテーブルタップの電力使用状態の確認を容易に行うことができる。
即ち、テーブルタップに表示器が設けられていると、上述のようにテーブルタップ自体の大型化を招いてしまう。また、テーブルタップに表示器が設けられる構成では、表示器を確認し難い。その点において、本発明は表示装置を確認しやすい場所に設置可能であるため、表示装置の表示器の確認を容易に行うことができるようになる。またテーブルタップに表示器が設けられないため、テーブルタップの大型化を抑制することができる。
【発明の効果】
【００２８】
本発明によれば、給電接続手段の電力使用状態を容易に確認することができるとともに、給電接続手段の大型化を抑制した給電システムを提供することができる。
【図面の簡単な説明】
【００２９】
【図１】本発明の給電システムを具体化した実施形態について、同給電システムの概略構造を示す模式図。
【図２】同実施形態の給電システムについて、同給電システムを備えた部屋の概略構造を示す模式図。
【図３】同実施形態の給電システムについて、コンセントの制御構成を示すブロック図。
【図４】同実施形態の給電システムについて、スイッチの制御構成を示すブロック図。
【図５】同実施形態の給電システムについて、表示装置の制御構成を示すブロック図。
【図６】同実施形態の給電システムによる制御態様について、電流値と時間との関係を示すグラフ。
【図７】同実施形態の給電システムについて、電流値に基づく電力供給制御の処理手順を示すフロー図。
【図８】同実施形態の給電システムによる制御態様について、電流値と時間との関係を示すグラフ。
【図９】同実施形態の給電システムについて、使用時間に基づく電力供給制御の処理手順を示すフロー図。
【図１０】同実施形態の給電システムによる制御態様について、電流値と時間との関係を示すグラフ。
【図１１】同実施形態の給電システムを備える電力供給システムの概要を示す模式図。
【図１２】本発明の給電システムを具体化したその他の実施形態について、コンセントの制御構成を示すブロック図。
【図１３】本発明の給電システムを具体化したその他の実施形態について、テーブルタップの斜視構造を示す斜視図。
【図１４】図１３のテーブルタップの制御構成を示すブロック図。
【図１５】従来の給電接続手段としてのコンセントについて、同コンセントの正面構造を示す正面図。
【発明を実施するための形態】
【００３０】
図１〜図１１を参照して、本発明の給電システムを具体化した一実施形態について説明する。
まず図１及び図２を参照して、負荷機器等に接続される給電接続手段に給電する給電システム１の概要について説明する。
【００３１】
給電システムは、電源が親器及び親器を介して複数個の子器（例えば、コンセント、スイッチ、タップ等）に電力線（信号線）によって接続されることにより、親器及び子器にそれぞれ電力が供給されている。そして親器及び子器の間では、信号線を介して信号の授受が行われている。
【００３２】
各子器には固有のアドレスが設定され、親器には各子器の固有のアドレスが記憶されている。子器は親器へ送信する信号に自己のアドレスを載せることにより、親器はどの子器から信号が送信されたかを把握することができる。また、親器は子器へ送信する信号にアドレスを載せることにより、子器は自分のアドレスが載せられた信号のみを受信する。以上により、親器は複数個の子器を一括して管理している。
【００３３】
具体的には、図１に示すように、給電システム１は、商用電源である交流電源ＡＣ（電源部）と、ＡＣ／ＤＣコンバータ２と、親器となる表示装置３と、子器となる複数個の給電接続手段であるコンセント４及びスイッチ５とにより構成されている。また交流電源ＡＣとＡＣ／ＤＣコンバータ２とは交流系電力線Ｗａｃによって互いに接続されている。ＡＣ／ＤＣコンバータ２と表示装置３とは直流系電力線Ｗｄｃによって互いに接続されている。表示装置３とコンセント４及びスイッチ５とは直流電力及びデータの両方を一対の線によって搬送可能な直流供給線路Ｗｄｌｃによって互いに接続されている。またコンセント４には電気機器６が接続され、スイッチ５には照明器具７が接続されている。
【００３４】
交流電源ＡＣからの交流電力は、ＡＣ／ＤＣコンバータ２により直流電力に変換されて、表示装置３に供給される。そして表示装置３とコンセント４及びスイッチ５とは互いに直流電圧に高周波の搬送波によりデータを伝送する通信信号を重畳する、いわゆる電力線搬送通信を行う。この電力線通信に基づいて、コンセント４及びスイッチ５の消費電力や使用時間等の電力使用状態が表示装置３に送信されたり、電気機器６の電力供給の制御が行われたりする。即ち交流電源ＡＣは、表示装置３とコンセント４及びスイッチ５の動作電力を供給している。
【００３５】
表示装置３には、その外枠を構成するとともに壁部Ｈ１（図２参照）に固定される本体部３ａが設けられている。この本体部３ａには液晶モニタとして構成された表示器３ｂが設けられている。表示器３ｂには、コンセント４やスイッチ５のそれぞれの消費電力や電流値等の電力使用状態が表示される。表示器３ｂには、タッチパネルによる操作部が設けられている。
【００３６】
コンセント４には、電気機器６のプラグ６ａが差し込まれることにより、プラグ６ａに電力を供給する差込接続部４ａが設けられている。そしてこの差込接続部４ａを外側から覆うように化粧プレート４ｂが設けられている。スイッチ５には、押操作により照明器具７の点灯及び消灯を操作するハンドル５ａが設けられている。このハンドル５ａを外側から覆うように化粧プレート５ｂが設けられている。
【００３７】
これらコンセント４及びスイッチ５は、規格化された寸法（例えば、日本工業規格や日本配線器具工業会において規格化されている寸法）にて形成されている。
ここで、図１５に示す従来のコンセント２００では上記規格化された寸法に納まるように形成すると、表示器２２０に数値として表示された電力使用状態を確認することが困難となる問題がある。その上、表示器２２０が設けられるため、コンセント２００の電力使用状態の算出及び表示を行う制御回路が収納するスペースを設けることが困難となる問題がある。その点において、本実施形態は表示装置３に表示器３ｂが設けられるため、即ちコンセント４及びスイッチ５から表示器を省略することができるため、上記２つの問題を同時に解消することができる。
【００３８】
図２に示すように、表示装置３とコンセント４及びスイッチ５とは、家屋等の部屋Ｈの壁部Ｈ１にそれぞれ設けられている。そして交流系電力線Ｗａｃ、直流系電力線Ｗｄｃ及び直流供給線路Ｗｄｌｃは、壁部Ｈ１の裏側に配線されている。また表示装置３は、人の顔の位置の高さに設けられている。コンセント４は、人の足元の位置の高さに設けられている。
【００３９】
次に、図３〜図５を参照して、コンセント４、スイッチ５及び表示装置３の制御構成について説明する。
図３に示すように、コンセント４は、直流供給線路Ｗｄｌｃと接続される電線接続端子４ｃと、電線接続端子４ｃに電気的に接続される第１子器制御回路１０とにより構成されている。
【００４０】
第１子器制御回路１０は、信号重畳分離回路１１、電源回路部１２、制御部１３、記憶部１４、アドレス設定部１５及び電流センサ１６により構成されている。
信号重畳分離回路１１は、給電接続手段の送信部に相当し、表示装置３からコンセント４に供給される電力線通信を直流電力と通信信号とに分離する機能及びコンセント４から表示装置３に供給するために直流電力に通信信号を重畳する機能を併せ有するものである。これにより、表示装置３とコンセント４との間において電力線通信が行われる。
【００４１】
電源回路部１２は、コンセント４に供給される直流電力により第１子器制御回路１０の他の回路の電力を生成している。
アドレス設定部１５は、コンセント４の裏側（即ち壁部Ｈ１の裏側）に設けられたディップスイッチ（不図示）によって設定されたアドレスを記憶部１４に出力している。そして記憶部１４は上記アドレスをコンセント４の固有のアドレスとして記憶するとともに制御部１３に出力している。
【００４２】
電流センサ１６は、この電流センサ１６に供給される直流電流を所定時間毎に検出している。そして電流センサ１６の検出された電流値（以下、「電流値ＡＧ」）は、制御部１３に出力される。
【００４３】
制御部１３は、コンセント４のアドレスや電流値ＡＧをデジタル信号として信号重畳分離回路１１に出力する。そして制御部１３は、電気機器６への電力供給のオンオフの制御を行う半導体スイッチやリレー等にて構成されたスイッチ要素（不図示）の開閉駆動を制御している。
【００４４】
ここで、電線接続端子４ｃから信号重畳分離回路１１に供給された重畳信号は、信号重畳分離回路１１により直流電力と通信信号とに分離された後、直流電力は差込接続部４ａに供給され、通信信号は表示装置３からの制御信号として制御部１３に入力される。そして制御部１３は上記制御信号に基づいてスイッチ要素を制御して電気機器６の電力供給を制御している。
【００４５】
また、制御部１３に入力された電流値ＡＧは、アドレスとともに制御部１３から信号重畳分離回路１１に出力される。そして信号重畳分離回路１１によって通信信号と直流電圧との重畳が行われ、信号重畳分離回路１１から表示装置３に重畳信号として送信される。この重畳信号は電流センサ１６の検出毎に表示装置３に送信される。これにより、表示装置３の表示器３ｂにコンセント４の電流値ＡＧやこの電流値ＡＧに基づく消費電力等の電力使用状態が表示されるようになる。
【００４６】
図４に示すように、スイッチ５は、コンセント４の制御構成と概ね共通している。したがって、コンセント４の制御構成と同一構成のものには、同一符号を付してその説明を省略する。なお、以降ではコンセント４との相違点を中心に説明する。
【００４７】
第２子器制御回路１０ａは、ハンドル５ａの押操作を検出する操作入力受付部１７と、照明器具７への電力供給のオンオフを切り替える回路開閉制御部１８とが設けられている。
【００４８】
操作入力受付部１７は、ハンドル５ａが押操作されたときにハンドル５ａの押操作を検出した旨の信号を制御部１３に出力している。回路開閉制御部１８には半導体スイッチやリレー等のスイッチ要素が設けられ、このスイッチ要素の開閉駆動を制御している。
【００４９】
制御部１３は上述のスイッチ要素の開閉駆動の制御に加え、次の制御が行われる。即ち、操作入力受付部１７の信号が制御部１３に入力されたとき、制御部１３はスイッチ要素の開閉駆動に関する制御信号を回路開閉制御部１８に出力する。そして回路開閉制御部１８は上記制御信号に基づいてスイッチ要素を開閉駆動する。
【００５０】
図５に示すように、表示装置３は、ＡＣ／ＤＣコンバータ２と接続される直流系電力線Ｗｄｃと接続される第１端子３ｃと、直流供給線路Ｗｄｌｃと接続される第２端子３ｄと、第１端子３ｃ及び第２端子３ｄの間に設けられるとともに互いに電気的に接続される親器制御回路２０とにより構成されている。これにより第１端子３ｃに供給された直流電力は、親器制御回路２０を介して第２端子３ｄに供給されるようになる。
【００５１】
親器制御回路２０は、信号重畳分離回路２１、電源回路部２２、制御部２３、記憶部２４、時計回路２５、表示回路２６及び設定インターフェイス２７により構成されている。なお電源回路部２２は電源回路部１２と同様の機能を有する。
【００５２】
信号重畳分離回路２１は、表示装置の受信部に相当し、コンセント４から表示装置３に供給される重畳信号を直流電力と通信信号とに分離する機能及び表示装置３からコンセント４に供給するために直流電力に通信信号を重畳する機能を併せ有するものである。
【００５３】
時計回路２５は、コンセント４及びスイッチ５のそれぞれが電気機器６及び照明器具７に電力供給を行った時間を算出している。具体的には、時計回路２５は、コンセント４から表示装置３に送信された電流値ＡＧが予め設定された判定値ＡＬより大きくなるときに時間カウントを開始する。そして上記電流値ＡＧが判定値ＡＬ以下となるときに時間カウントを終了する。この判定値ＡＬは、待機電力に基づく電流値により設定されている。
【００５４】
記憶部２４は、時計回路２５及び制御部２３にて算出した結果やコンセント４やスイッチ５から送信されるアドレスを記憶するとともに、記憶した結果を制御部２３に出力している。
【００５５】
制御部２３は、電流値ＡＧに基づいて算出した結果や電流値ＡＧに基づいて時計回路２５にて算出した結果からコンセント４やスイッチ５の各々またはこれらの合計について、そのときどきの消費電力や所定期間に亘り積算した総消費電力や使用時間（即ち、電力使用状態）を算出している。そしてこれらの算出結果は表示器３ｂによって表示されるようになる。
【００５６】
表示回路２６は、表示器３ｂを駆動させるための回路である。設定インターフェイス２７は、表示器３ｂの操作に伴う信号を制御部２３に出力している。そして制御部２３は、上記信号に基づいて表示回路２６に制御信号を出力する。表示回路２６はこの制御信号に基づいて表示器３ｂを駆動する。
【００５７】
表示器３ｂは、コントロールパネルの操作により、コンセント４やスイッチ５のアドレスを表示させるとともに、各アドレスに対応したコンセント４やスイッチ５に負荷名を入力することができる。これにより、例えばエアコン用のコンセントの電力使用状態を確認するときには、上記負荷名からコンセントを呼び出し、同コンセントの電力使用状態を表示することができる。即ち表示器３ｂには、負荷名及び電力使用状態の数値が同時に表示されるようになる。
【００５８】
ここで、第１端子３ｃから信号重畳分離回路２１に供給された直流電力は、制御部２３の制御信号を重畳して、コンセント４やスイッチ５に送信される。またコンセント４やスイッチ５から表示装置３に供給された重畳信号は、信号重畳分離回路２１により直流電力と通信信号とに分離された後、直流電力は電源回路部２２に供給され、通信信号は制御部２３に入力される。そして制御部２３は上記通信信号に基づいてコンセント４やスイッチ５の個別の電力使用状態及び合計の電力使用状態を表示器３ｂに表示する。
【００５９】
ところで、表示装置３及びコンセント４及びスイッチ５では、上述の制御部２３の算出結果を用いて、以下の電気機器６や照明器具７の電力供給のオンオフの制御を行う。以降では、コンセント４について説明するが、スイッチ５についても同様に制御される。
【００６０】
まず図６及び図７を参照して、コンセント４にて検出される電流値に基づいて電気機器６への電力供給のオンオフを制御する電力供給制御について説明する。
制御部２３では、この制御部２３に入力された電流値ＡＧが予め設定された所定の判定値ＡＪ（例えば１５（Ａ））以上となるときが連続して所定時間Δｔ（例えば０．１秒）維持されるときには、コンセント４にスイッチ要素を開駆動する旨の制御信号を送信する。なお、所定時間Δｔ及び判定値ＡＪは表示器３ｂのコントロールパネルによって操作者が自由に設定することができる。
【００６１】
例えば図６に示すように、コンセント４に接続された電気機器６を起動したとき（時間Ｔ１）、電流値ＡＧは上昇する。そして時間Ｔ３において電気機器６によって使用される電流値ＡＧが判定値ＡＪ（本実施形態では、１５（Ａ））以上の状態となったとする。そしてこの状態のまま電気機器６を使用し続けると、時間Ｔ２から所定時間Δｔ経過した時間である時間Ｔ３において、コンセント４から電気機器６への電力供給をオフされるようになる。これにより電気機器６への判定値ＡＪ以上の過剰な電流が供給され続けることによるコンセント４の過熱を抑制するようになる。
【００６２】
図７を参照して、図６に示すような制御部２３の電力供給制御の具体的な処理のフローについて説明する。なお本処理は、所定時間毎に繰り返し行われている。
図７に示すように、ステップＳ１０において検出された電流値ＡＧが判定値ＡＪ以上であるか否かを判断する。ここで上記電流値ＡＧが判定値ＡＪ以上である場合（ステップＳ１０のＹＥＳ）、ステップＳ１１においてこの状態が所定期間Δｔ以上維持されているかを判断する。そして所定期間Δｔ以上維持されていると判断した場合（ステップＳ１１のＹＥＳ）、ステップＳ１２において電気機器６への電力供給をオフする。一方、上記電流値ＡＧが判定値ＡＪより小さい場合（ステップＳ１０のＮＯ）及び所定期間Δｔ以上維持されていない場合（ステップＳ１１のＮＯ）、一旦処理は終了する。
【００６３】
次に図８及び図９を参照して、コンセント４から電気機器６に電力供給の期間に基づいて電気機器６への電力供給のオンオフを制御する電力供給制御について説明する。
制御部２３では、時計回路２５の時間カウントの開始からの経過時間ＴＧを算出し、この経過時間ＴＧが予め設定された判定値ＴＪ（例えば、５時間）以上と判断したときに、コンセント４に電気機器６への電力供給をオフする旨の制御信号を送信する。この制御信号に基づいて、制御部１３はスイッチ要素を開状態となるように駆動する。また経過時間ＴＧは電気機器６や照明器具７を起動及び終了を繰り返した場合には、各経過時間ＴＧの累積値として算出される。なお、判定値ＴＪは、表示器３ｂのコントロールパネルによって操作者が自由に設定することができる。
【００６４】
例えば図８に示すように、電気機器６の起動及び終了を繰り返し、３回目の起動中に判定値ＴＪとなったとする。このような場合、時間Ｔ１１において時計回路２５の時間カウントが開始され、時間Ｔ１２において終了される。時計回路２５は時間Ｔ１１から時間Ｔ１２までの経過時間を第１経過時間ＴＧ１として制御部２３に出力する。同様に時間Ｔ１４〜時間Ｔ１５までの期間を第２経過時間ＴＧ２として制御部２３に出力する。このとき第１経過時間ＴＧ１と第２経過時間ＴＧ２との累積値ＴＧＡ（ＴＧ１＋ＴＧ２）は上記判定値ＴＪより小さい。また時間Ｔ１７において時間カウントが開始されて第３経過時間ＴＧ３を累積し、時間Ｔ１８において累積値ＴＧＡ（ＴＧ１＋ＴＧ２＋ＴＧ３）が判定値ＴＪと同じ値となったため、電気機器６への電力供給がオフされる。なお、このような時計回路２５による使用時間の累積値及び上記電力供給のオフの指令は、所定期間（例えば２４時間）にてリセットされるように設定されている。
【００６５】
図９を参照して、図８に示すような電力供給制御の具体的な処理手順について説明する。本処理は、所定期間毎に繰り返し行われ、同期間毎に算出した経過時間ＴＧの累積値ＴＧＡをリセットする。
【００６６】
図９に示すように、ステップＳ２０において電流値ＡＧが判定値ＡＬ以上か否かを判断する。ここで電流値ＡＧが判定値ＡＬ以上である場合（ステップＳ２０のＹＥＳ）、ステップＳ２１において時間カウントを開始する。次いでステップＳ２２において時間カウントを開始してから経過した時間である経過時間ＴＧＸが判定値ＴＪより小さいか否かを判断する。そして経過時間ＴＧＸが判定値ＴＪより小さい場合（ステップＳ２２のＹＥＳ）、電力供給を維持すると判断し、ステップＳ２３において電流値ＡＧが判定値ＡＬより小さいか否かを判断する。一方経過時間ＴＧＸが判定値ＴＪ以上である場合（ステップＳ２２のＮＯ）、ステップＳ２７において電力供給をオフする。
【００６７】
ここで電流値ＡＧが判定値ＡＬ以上の場合（ステップＳ２３のＮＯ）、電気機器６は使用状態であると判断し、時間カウントを維持する。一方電流値ＡＧが判定値ＡＬより小さい場合（ステップＳ２３のＹＥＳ）、電気機器６の使用が終了したと判断し、ステップＳ２４において時間カウントを終了する。そしてステップＳ２５において経過時間ＴＧＹを算出する。
【００６８】
次にステップＳ２６において経過時間ＴＧＹが判定値ＴＪ以上か否かを判断する。ここで経過時間ＴＧＹが判定値ＴＪ以上の場合には、ステップＳ２７において上記電力供給をオフする。一方経過時間ＴＧＹが判定値ＴＪより小さい場合には、再びステップＳ２０の判断を行う。ここで再びステップＳ２０に移行した場合には、判定値ＴＪとの比較に用いる経過時間ＴＧＸ，ＴＧＹはその前のトリップにて算出した経過時間ＴＧＹとの累積値ＴＧＡとする。
【００６９】
次に、図１０を参照して、コンセント４から電気機器６へ供給される電力消費量に基づいて電気機器６への電力供給を制御する制御部２３の電力供給制御について説明する。
制御部２３では、電気機器６のコンセント４への接続等により電流値ＡＧが０（Ａ）よりも大きくなり、電気機器６のコンセント４から外される等により電流値ＡＧが０（Ａ）となるまでの電流値ＡＧから消費電力の合計値ＡＧＴを算出する。具体的には、電流センサ１６が検出した電流値ＡＧをコンセント４から制御部２３に送信し、制御部２３は電流値ＡＧを積算して電力積算値ＡＧＴを算出する。そしてその合計値ＡＧＴが予め設定された消費電力の閾値である判定値ＰＪ（例えば、１５００Ｗ）以上である場合には、制御部２３は電気機器６への電力供給をオフする旨の制御信号をコンセント４に送信する。
【００７０】
例えば図１０に示すように、電気機器６を繰り返し使用し、２回目の使用途中にて判定値ＰＪとなったとする。電気機器６は時間Ｔ３０から時間Ｔ３１までの期間において使用されている。そして上述のように合計値ＡＧＴ１を算出する。ここで合計値ＡＧＴ１は判定値ＰＪより小さい値である。そして再び電気機器６を使用するとき、コンセント４は電気機器６に電力供給を行う（時間Ｔ３２）。そして電気機器６の使用に伴い合計値ＡＧＴ２を算出する。そして時間Ｔ３３において、今までの消費電力の合計値（ＡＧＴ１＋ＡＧＴ２）が判定値ＰＪと同値となったため、上記電力供給をオフにする。より詳細には、制御部２３内にカウンタが設けられ、このカウンタが判定値ＰＪに相当する閾値ＣＪとなったときに上記電力供給をオフにする。このような制御部２３による電力消費量の累積値及び上記電力供給のオフの指令は、所定期間（例えば２４時間）にてリセットされるように設定されている。
【００７１】
次に図１１を参照して、本実施形態の給電システムを備えた家屋等の造営物に設けられた電力供給システムの概要について説明する。
図１１に示すように、住宅には、宅内に設置された各種機器（照明機器、エアコン、家電、オーディオビジュアル機器等）に電力を供給する電力供給システム１００が設けられている。電力供給システム１００は、家庭用の商用交流電源（ＡＣ電源）１０２を電力として各種機器を動作させる他に、太陽光により発電する太陽電池１０３の電力も各種機器に電源として供給する。電力供給システム１００は、直流電源（ＤＣ電源）を入力して動作するＤＣ機器１０５の他に、交流電源（ＡＣ電源）を入力して動作するＡＣ機器１０６にも電力を供給する。
【００７２】
電力供給システム１００には、同システム１００の分電盤としてコントロールユニット１０７及びＤＣ分電盤（直流ブレーカ内蔵）１０８が設けられている。また、電力供給システム１００には、住宅のＤＣ機器１０５の動作を制御する機器として制御ユニット１０９及びリレーユニット１１０が設けられている。
【００７３】
コントロールユニット１０７には、交流電源を分岐させるＡＣ分電盤１１１が交流系電力線１１２を介して接続されている。コントロールユニット１０７は、このＡＣ分電盤１１１を介して商用電源１０２に接続されるとともに、直流系電力線１１３を介して太陽電池１０３に接続されている。コントロールユニット１０７は、ＡＣ分電盤１１１から交流電力を取り込むとともに太陽電池１０３から直流電力を取り込み、これら電力を機器電源として所定の直流電力に変換する。そして、コントロールユニット１０７は、この変換後の直流電力を、直流系電力線１１４を介してＤＣ分電盤１０８に出力したり、又は直流系電力線１１５を介して蓄電池１１６に出力して同電力を蓄電したりする。コントロールユニット１０７は、ＡＣ分電盤１１１からＡＣ電力を取り込むのみならず、太陽電池１０３や蓄電池１１６の電力を交流電力に変換してＡＣ分電盤１１１に供給することも可能である。コントロールユニット１０７は、信号線１１７を介してＤＣ分電盤１０８とデータやり取りを実行する。
【００７４】
ＤＣ分電盤１０８は、直流電力対応の一種のブレーカである。ＤＣ分電盤１０８は、コントロールユニット１０７から入力した直流電力を分岐させ、その分岐後の直流電力を、直流系電力線１１８を介して制御ユニット１０９に出力したり、直流系電力線１１９を介してリレーユニット１１０に出力したりする。また、ＤＣ分電盤１０８は、信号線１２０を介して制御ユニット１０９とデータやり取りをしたり、信号線１２１を介してリレーユニット１１０とデータやり取りしたりする。
【００７５】
制御ユニット１０９には、複数のＤＣ機器１０５，１０５…が接続されている。これらＤＣ機器１０５は、直流電力及びデータの両方を１対の線によって搬送可能な直流供給線路１２２を介して制御ユニット１０９と接続されている。直流供給線路１２２は、ＤＣ機器の電源となる直流電圧に、高周波の搬送波によりデータを電送する通信信号を重畳する、いわゆる電力線通信により、１対の線で電力及びデータの両方をＤＣ機器１０５に搬送する。制御ユニット１０９は、直流系電力線１１８を介してＤＣ機器１０５の直流電源を取得し、ＤＣ分電盤１０８から信号線１２０を介して得る動作指令を基に、どのＤＣ機器１０５をどのように制御するのかを把握する。そして、制御ユニット１０９は、指示されたＤＣ機器１０５に直流供給線路１２２を介して直流電圧及び動作指令を出力し、ＤＣ機器１０５の動作を制御する。
【００７６】
制御ユニット１０９には、宅内のＤＣ機器１０５の動作を切り換える際に操作するスイッチ１２３が直流供給線路１２２を介して接続されている。また、制御ユニット１０９には、例えば赤外線リモートコントローラからの発信電波を検出するセンサ１２４が直流供給線路１２２を介して接続されている。よって、ＤＣ分電盤１０８からの動作指示のみならず、スイッチ１２３の操作やセンサ１２４の検知によっても、直流供給線路１２２に通信信号を流してＤＣ機器１０５が制御される。
【００７７】
リレーユニット１１０には、複数のＤＣ機器１０５，１０５…がそれぞれ個別の直流系電力線１２５を介して接続されている。リレーユニット１１０は、直流系電力線１１９を介してＤＣ機器１０５の直流電源を取得し、ＤＣ分電盤１０８から信号線１２１を介して得る動作指令を基に、どのＤＣ機器１０５を動作させるのかを把握する。そして、リレーユニット１１０は、指示されたＤＣ機器１０５に対し、内蔵のリレーにて直流系電力線１２５への電源供給をオンオフすることで、ＤＣ機器１０５の動作を制御する。また、リレーユニット１１０には、ＤＣ機器１０５を手動操作するための複数のスイッチ１２６が接続されており、スイッチ１２６の操作によって直流供給線路１２２への電源供給をリレーにてオンオフすることにより、ＤＣ機器１０５が制御される。
【００７８】
ＤＣ分電盤１０８には、例えば壁コンセントや床コンセントの態様で住宅に建て付けられた直流コンセント１２７が直流系電力線１２８を介して接続されている。この直流コンセント１２７にＤＣ機器のプラグ（図示略）を差し込めば、同機器に直流電力を直接供給することが可能である。またＤＣ分電盤１０８と直流コンセント１２７との間には、表示装置１４２が設けられている。そして商用交流電源１０２、コントロールユニット１０７、表示装置１４２及び直流コンセント１２７にて本実施形態の給電システム１を構成している。
【００７９】
また、商用交流電源１０２とＡＣ分電盤１１１との間には、商用交流電源１０２の使用量を遠隔検針可能な電力メータ１２９が接続されている。電力メータ１２９には、商用電源使用量の遠隔検針の機能のみならず、例えば電力線通信や無線通信の機能が搭載されている。電力メータ１２９は、電力線通信や無線通信等を介して検針結果を電力会社等に送信する。
【００８０】
電力供給システム１００には、宅内の各種機器をネットワーク通信によって制御可能とするネットワークシステム１３０が設けられている。ネットワークシステム１３０には、同システム１３０のコントロールユニットとして宅内サーバ１３１が設けられている。宅内サーバ１３１は、インターネットなどのネットワークＮを介して宅外の管理サーバ１３２と接続されるとともに、信号線１３３を介して宅内機器１３４に接続されている。また、宅内サーバ１３１は、ＤＣ分電盤１０８から直流系配線１３５を介して取得する直流電力を電源として動作する。
【００８１】
宅内サーバ１３１には、ネットワーク通信による宅内の各種機器の動作制御を管理するコントロールボックス１３６が信号線１３７を介して接続されている。コントロールボックス１３６は、信号線１１７を介してコントロールユニット１０７及びＤＣ分電盤１０８に接続されるとともに、直流供給線路１３８を介してＤＣ機器１０５を直接制御可能である。コントロールボックス１３６には、例えば使用したガス量や水道量を遠隔検針可能なガス／水道メータ１３９が接続されるとともに、ネットワークシステム１３０の操作パネル１４０に接続されている。操作パネル１４０には、例えばドアホン子器やセンサやカメラからなる監視機器１４１が接続されている。
【００８２】
宅内サーバ１３１は、ネットワークＮを介して宅内の各種機器の動作指令を入力すると、コントロールボックス１３６に指示を通知して、各種機器が動作指令に準じた動作をとるようにコントロールボックス１３６を動作させる。また、宅内サーバ１３１は、ガス／水道メータ１３９から取得した各種情報を、ネットワークＮを通じて管理サーバ１３２に提供可能であるとともに、監視機器１４１で異常検出があったことを操作パネル１４０から受け付けると、その旨もネットワークＮを通じて管理サーバ１３２に提供する。
【００８３】
本実施形態の給電システム１によれば、以下の効果を奏することができる。
（１）本実施形態によれば、表示装置３の表示器３ｂにコンセント４及びスイッチ５の電力使用状態が示される構成である。したがって、図１５に示す従来のコンセント２００と比較して、表示器３ｂによる電力使用状態を容易に確認することができるとともにコンセント４及びスイッチ５の大型化を抑制することができる。
【００８４】
また、表示装置３には、コンセント４及びスイッチ５のアドレスに対応した負荷名を入力することができる。したがって、負荷名の入力により、コンセント４及びスイッチ５と各負荷機器（電気機器６、照明器具７等）との対応を容易に把握することができる。
【００８５】
（２）本実施形態によれば、表示器３ｂはタッチパネルによる操作が可能な設定である。ここで従来の表示器２２０をタッチパネルとすると操作性を確保するために表示器２２０を大きく形成する必要があり、コンセント２００が大型化する問題があった。また逆にコンセント２００の大型化を抑制するために表示器２２０を小さく形成すると、表示器２２０における操作性が確保できない問題があった。
【００８６】
その点において、本実施形態では表示装置３に表示器３ｂを設けているため、コンセントやスイッチに表示器を設ける構成と比較して、表示器３ｂの大きさの制約を緩和することができる。即ち表示装置３は、コンセント４やスイッチ５の規格化された寸法よりも大きく形成することができる。これに伴い表示器３ｂを従来のコンセント２００の表示器２２０と比較して、大きく形成することができる。したがって、上述の問題を解消することができる。
【００８７】
（３）本実施形態によれば、表示器３ｂにコンセント４及びスイッチ５の電力使用状態を表示する構成である。これによりコンセント及びスイッチ等の複数の給電接続手段の各電力使用状態を表示器３ｂにて確認することができる。したがって、コンセント及びスイッチにのみ表示器が設けられる構成と比較して、コンセント及びスイッチの表示器のそれぞれを確認する作業が省略されるため、表示器３ｂによる上記電力使用状態の確認を容易に行うことができる。
【００８８】
ここで、コンセントは、壁部における足元付近に設置される場合が多い。この場合には、コンセントに表示器が設けられる構成では、この表示器を確認することが煩雑であり、使い勝手が悪い。その点において、本実施形態では、表示器３ｂが壁部Ｈ１の人の顔の付近に設けられるため、上記電力使用状態を容易に確認することができる。
【００８９】
また、スイッチに表示器が設けられる構成では、複数のハンドルを有する場合もしくは複数の差込接続部を有する場合には、表示器とハンドル及び差込接続部とをそれぞれ対応して認識することが困難となる。その点において、本実施形態は表示器３ｂによって各アドレスに応じた電力使用状態を確認することができるため、複数のスイッチに接続される照明器具に応じて電力使用状態を認識することが容易である。
【００９０】
（４）本実施形態によれば、表示器３ｂは、コンセント４及びスイッチ５において、そのときどきのコンセント４及びスイッチ５の合計の電流値ＡＧ、電力消費量または所定期間の総電力消費量を表示する。したがって、コンセント４及びスイッチ５の電力使用状態の様々なバリエーションを表示することができ、様々な電力使用状態について把握することができる。
【００９１】
（５）本実施形態によれば、表示装置３とコンセント４及びスイッチ５を直流供給線路Ｗｄｌｃによって互いに接続される構成である。したがって、信号線と直流系電力線とを各別に配線する場合と比較して、表示装置３とコンセント４及びスイッチ５とを接続する配線の構成を簡単化することができるようになる。
【００９２】
（６）本実施形態によれば、表示装置３は、コンセント４またはスイッチ５の電力積算量が判定値ＰＪを超えたときにコンセント４またはスイッチ５の電力供給をオフする制御を行う。したがって、コンセント４またはスイッチ５から電気機器６または照明器具７への過剰な電力供給を抑制することができる。
【００９３】
（７）本実施形態によれば、表示装置３は、コンセント４またはスイッチ５の電流値ＡＧが判定値ＡＪを超えたときにコンセント４またはスイッチ５の電力供給をオフする制御を行う。したがって、コンセント４またはスイッチ５から電気機器６または照明器具７への過剰な電流の供給が抑制されるようになる。したがって、電気機器６または照明器具７の過剰な電流供給に起因する電気機器６及び照明器具７の故障を抑制することができる。
【００９４】
（８）本実施形態によれば、表示装置３は、電力使用時間が判定値ＴＪを超えたときにコンセント４またはスイッチ５の電力供給をオフする制御を行う。したがって、コンセント４またはスイッチ５から電気機器６または照明器具７へ無駄に電力供給することを抑制することができる。したがって、給電システム１の省電力化を図ることができる。
【００９５】
（９）本実施形態によれば、コンセント４及びスイッチ５のそれぞれに制御部２３が設けられる構成である。したがって、コンセント４及びスイッチ５のそれぞれについて、電気機器６や照明器具７への電力供給のオンオフの制御を行うことができる。即ち給電システム１は、各給電接続手段に対して電力供給のオンオフの個別制御を行うことができる。
【００９６】
（１０）本実施形態によれば、コンセント４及びスイッチ５のそれぞれに電流センサ１６が設けられる構成である。したがって、コンセント４及びスイッチ５のそれぞれの電流値ＡＧを検出することができる。その結果、コンセント４及びスイッチ５の個々の電力使用状態を正確に把握することができ、コンセント４及びスイッチ５の個別制御を容易に行うことができる。
【００９７】
（その他の実施形態）
本実施形態の給電システム１は、上記実施形態に限定されることなく、例えば以下の変更が可能である。また、以下の変形例は、上記実施形態についてのみ適用されるものでなく、異なる変形例同士を互いに組み合わせて実施する場合にも適用することもできる。
【００９８】
本実施形態では、親器制御回路２０に時計回路２５が設けられ、制御部２３によって電力使用状態の算出を行ったが、第１子器制御回路１０及び第２子器制御回路１０ａの少なくとも一方に時計回路２５が設けられ、制御部１３によって電力使用状態の算出を行う構成とすることもできる。この場合には、親器制御回路２０には、時計回路２５が省略される。具体的には図１２に示すように、コンセント４に時計回路２５が設けられている。また上記判定値ＡＪ，ＴＪ，ＰＪの設定もコンセント４において行われている。なお、判定値ＡＪ，ＴＪ，ＰＪは表示装置３側にて設定し、その設定情報をコンセント４に送信することもできる。またこの構成はスイッチ５も同様である。以上の構成により、コンセント４にて算出された電力使用状態の値を表示装置３に送信して、表示装置３はこれら値に基づいて電気機器６や照明器具７の電力供給のオンオフを制御する制御信号をコンセント４に送信している。
【００９９】
本実施形態では、表示装置３のみに表示器３ｂが設けられたが、コンセント４及びスイッチ５の少なくとも一方にも表示器を設けることができる。例えば、図３及び図４に示すコンセント４及びスイッチ５の制御構成であれば、表示装置３から制御部１３を介して表示器にコンセント４及びスイッチ５の電力使用状態を出力するようになる。また例えば、図１２に示すようなコンセント４の制御構成であれば、表示器をタッチパネルとすることにより、判定値ＡＪ，ＴＪ，ＰＪを表示器にて設定することができる。そして表示器は記憶部１４から出力されるコンセント４の電力使用状態を表示する。
【０１００】
本実施形態では、コンセント４及びスイッチ５に電流センサ１６が設けられ、この電流センサ１６の電流値ＡＧが表示装置３に送信されたが、本実施形態の電流値ＡＧが表示装置３に送信される態様はこれに限定されることはない。例えば図１３に示すようなコンセント４に接続されるとともに電気機器６のプラグ６ａが接続される差込接続部３１が設けられたテーブルタップ３０に電流センサ１６を設けることもできる。これによりテーブルタップ３０の電流値ＡＧが表示装置３に送信され、同タップ３０の電力使用状態を表示器３ｂにより確認することが可能となる。なおテーブルタップ３０の制御構成は、図１４に示すように電線接続端子４ｃがプラグ３２に置き換わること以外は、図４に示すコンセント４の制御構成と同様である。またテーブルタップ３０に限定されず、換気扇等の他の負荷機器とすることもできる。
【０１０１】
本実施形態では、表示装置３として独立して壁部Ｈ１に設けられたが、表示装置３は例えば、ドアホン子器に設けられたカメラにて撮影される画像を表示する表示器を備えるドアホン親器と兼ねることができる。具体的には、例えば図１１における表示装置１４２と操作パネル１４０とは同一の機器として構成することができる。これにより操作パネル１４０にコンセント４及びスイッチ５の電力使用状態が表示されるようになる。
【０１０２】
本実施形態では、給電システム１として表示装置３に部屋Ｈに設けられたコンセント４及びスイッチ５が接続されたが、給電システム１の構成はこれに限定されることはない。例えば給電システム１として表示装置３に宅内の全てのコンセント４及びスイッチ５が接続されることも可能である。
【０１０３】
本実施形態では、表示装置３とコンセント４及びスイッチ５との配線として直流供給線路Ｗｄｌｃを用いたが、本発明の配線構成はこれに限定されることはない。例えば、表示装置３とコンセント４及びスイッチ５とは、信号線及び電力線の２種類の配線から構成することもできる。これにより、本実施形態の効果（１）〜（４）及び（６）〜（１０）に準じた効果を奏することができる。
【０１０４】
本実施形態では、上記判定値ＡＪ，ＴＪ，ＰＪは、各コンセント４または各スイッチ５のそれぞれの判定値であったが、上記判定値ＡＪ，ＴＪ，ＰＪはこれに限定されることはない。例えば、複数のコンセント４の合計値に対する判定値として設定することもできる。なお、複数のスイッチ５の合計値またはコンセント４及びスイッチ５の組み合わせの合計値に対する判定値として設定することもできる。
【符号の説明】
【０１０５】
１…給電システム、２…ＡＣ／ＤＣコンバータ、３…表示装置、３ａ…本体部、３ｂ…表示器、３ｃ…第１端子、３ｄ…第２端子、４…コンセント（壁埋め込み式コンセント、給電接続手段）、４ａ…差込接続部、４ｂ…化粧プレート、４ｃ…電源接続端子（接続部）、５…スイッチ（壁埋め込み式スイッチ、給電接続手段）、５ａ…ハンドル、５ｂ…化粧プレート、６…電気機器（負荷機器）、６ａ…プラグ、７…照明器具（負荷機器）、１０…第１子器制御回路、１０ａ…第２子器制御回路、１１…信号重畳分離回路部、１２…電源回路部、１３…制御部、１４…記憶部、１５…アドレス設定部、１６…電流センサ（電流検知部）、１７…操作入力受付部、１８…回路開閉制御部、２０…親器制御回路、２１…信号重畳分離回路部、２２…電源回路部、２３…制御部（演算部）、２４…記憶部、２５…時計回路、２６…表示回路、２７…設定インターフェイス、３０…テーブルタップ（給電接続手段）、３１…差込接続部、３２…プラグ、１００…電力供給システム、１２７…直流コンセント、１４１…表示装置、Ｈ…部屋（造営物）、Ｈ１…壁部、Ｗａｃ…交流系電線、Ｗｄｃ…直流系電力線、Ｗｄｌｃ…直流供給線路（信号線）。
【図１】
2011072099.tif 000003
【図２】
2011072099.tif 000004
【図３】
2011072099.tif 000005
【図４】
2011072099.tif 000006
【図５】
2011072099.tif 000007
【図６】
2011072099.tif 000008
【図７】
2011072099.tif 000009
【図８】
2011072099.tif 000010
【図９】
2011072099.tif 000011
【図１０】
2011072099.tif 000012
【図１１】
2011072099.tif 000013
【図１２】
2011072099.tif 000014
【図１３】
2011072099.tif 000015
【図１４】
2011072099.tif 000016
【図１５】
2011072099.tif 000017